(57)【要約】【課題】  押圧操作する際の操作範囲が長くなった場合においても誤動作を起こし難い押圧操作型の可変抵抗器及びそれを用いた電子楽器を提供する。【解決手段】  帯状の抵抗体パターン２あるいは導電体パターン１０のいずれか一方が設けられた絶縁基台１と、絶縁基台１に対向した状態で配設され、抵抗体パターン２あるいは導電体パターン１０のいずれか他方が設けられた可撓性を有する絶縁基板９とを備え、抵抗体パターン２と導電体パターン１０とが所定の間隙を介して対向するように配置され、絶縁基板９が押圧されることにより、押圧位置で抵抗体パターン２と導電体パターン１０とが接触するものとされ、絶縁基板９に抵抗体パターン２あるいは導電体パターン１０が延設された方向に沿って張力が及ぶように、絶縁基板９を弾性部材１２に係合させて保持した。【選択図】        図１
2005332948.tif 000002
【特許請求の範囲】
【請求項１】
帯状の抵抗体パターンあるいは導電体パターンのいずれか一方が設けられた絶縁基台と、この絶縁基台に対向した状態で配設され、前記抵抗体パターンあるいは導電体パターンのいずれか他方が設けられた可撓性を有する絶縁基板とを備え、前記抵抗体パターンと前記導電体パターンとが所定の間隙を介して対向するように配置され、前記絶縁基板が押圧されることにより、押圧位置で前記抵抗体パターンと前記導電体パターンとが接触するものとされ、前記絶縁基板に前記抵抗体パターンあるいは導電体パターンが延設された方向に沿って張力が及ぶように、前記絶縁基板を、弾性部材に係合させて保持したことを特徴とする可変抵抗器。
【請求項２】
前記弾性部材が、コイル状の引っ張りばねからなることを特徴とする請求項１記載の可変抵抗器。
【請求項３】
前記絶縁基板に形成された前記抵抗体パターンあるいは導電体パターンの延設方向の両側に、それぞれスペーサを設け、いずれか一方の前記スペーサの外側の位置で、前記絶縁基板を前記引っ張りばねに係合させたことを特徴とする請求項２記載の可変抵抗器。
【請求項４】
前記絶縁基台には前記抵抗体パターンを設け、前記絶縁基板には前記導電体パターンを設け、前記導電体パターンの一端側を出力用の配線パターンに接続させ、この配線パターンの反対側で前記絶縁基板を前記引っ張りばねに係合させたことを特徴とする請求項２、又は３記載の可変抵抗器。
【請求項５】
本体部と、この本体部から延出された竿状部とを有し、この竿状部に演奏者が指で押えた位置を検出して、この位置に対応する楽音信号を出力する音高決定部を有する電子楽器であって、前記音高決定部に請求項１乃至４の何れかに記載の可変抵抗器を備えたことを特徴とする電子楽器。
【請求項６】
前記竿状部の先端側に、前記可変抵抗器の前記絶縁基板に係合された前記引っ張りばねを配置するようにしたことを特徴とする請求項５記載の電子楽器。
【発明の詳細な説明】
【技術分野】
【０００１】
本発明は、電子機器等に所望のアナログ情報をワンタッチで入力するのに適した可変抵抗器に係り、特にギターや三味線、マンドリン等の弦楽器を模した電子楽器に使用される可変抵抗器及びそれを用いた電子楽器に関する。
【背景技術】
【０００２】
従来のこの種の可変抵抗器の構造としては、互いに対向した状態で配設され、一方が可撓性を有する第一と第二絶縁基板を備え、第一絶縁基板には帯状の抵抗体パターンが形成され、第二絶縁基板には帯状の導電体パターンが形成され、抵抗体パターンと所定の間隔を隔てて対向状態になっている導電体パターンとが接離可能に配設された構造のものが知られている（例えば、特許文献１参照）。
【０００３】
以下、従来の可変抵抗器の構造を図に基づいて説明する。
図７は従来の可変抵抗器を示す分解斜視図、図８は従来の可変抵抗器を示す断面図である。
【０００４】
図において、可変抵抗器は、主として基部４０ａに抵抗体４２が設けられた第一絶縁基板４０と、該第一絶縁基板４０に対向し基部６０ａに抵抗体４２と所定の間隔をもって対向し、接離可能となっている導電体６２を有する第二絶縁基板６０とから構成されている。
【０００５】
第一絶縁基板４０は、可撓性を有する絶縁性フィルムからなり、基部４０ａの側縁部の略中央から引き出し部４１が突出形成されており、基部４０ａの表面には抵抗体４２と引き出しパターン４４と第一の接点４５が設けられている。抵抗体４２は、帯状のカーボンパターンからなり、基部４０ａの表面における中央部に印刷により形成されている。そして、抵抗体４２の両端の端部から一対の配線パターン４３が接続され、引き出し部４１に導出されている。引き出しパターン４４は、抵抗体４２の長手方向の中央部に直交するように接続され、配線パターン４３ と同様に引き出し部４１に導出されている。
【０００６】
第一の接点４５は、円形状の銀パターンからなり、抵抗体４２が形成された同一面上にそれぞれ印刷形成されている。一対の第一の接点４５からはそれぞれ第一の接点用パターン４６が接続され、引き出し部４１に導出されている。
【０００７】
上記第一，第二絶縁基板４０，６０の間に位置するスペーサ５０は、細長のリング状からなり、中央に開口５１を有している。スペーサ５０の両面には粘着剤が塗布されて、第一絶縁基板４０の表面に積層するように貼り付けられており、開口５１から抵抗体４２と第一の接点４５とが露出した状態になっている。
【０００８】
第二絶縁基板６０は、可撓性を有する絶縁性フィルムからなり、基部６０ａの側縁部の略中央から引き出し部６１が突出形成されており、その下面には導電体６２と導通パターン６３と第二の接点６４が設けられている。導電体６２は、帯状の銀パターンからなり、第二絶縁基板６０の中央部に印刷により形成されている。導通パターン６３は、銀パターンからなり、導電体６２の長手方向の中央近傍から直交するように設けられ、引き出し部６１に導出されている。
【０００９】
第二の接点６４は、円形状の銀パターンからなり、第一の接点４５と対向する位置にそれぞれ印刷形成されている。一対の第二の接点６４からはそれぞれ第二の接点用パターン６５が設けられ、引き出し部６１に導出されている。
【００１０】
そして、第二絶縁基板６０は、スペーサ５０を介して第一絶縁基板４０と互いに対向した状態で配設され、スペーサ５０の表面に粘着剤により貼り付けられており、開口５１から導電体６２と第二の接点６４とが露出した状態となっていると共に、スペーサ５０を介在させることにより抵抗体４２と導電体６２、及び第一の接点４５と第二の接点６４とが所定の間隔を持って接離可能になっている。
【００１１】
第二絶縁基板６０の上部に位置する表示シート７０は、絶縁性フィルムからなり、両端にドーム状のクリック突起７１と中央部に突起７２を有している。表示シート７０の下面には粘着剤が塗布され、第二絶縁基板６０の上面に積層するように貼り付けられている。この時、クリック突起７１は、第一の接点４５と第二の接点６４に対応する位置に設けられ、突起７２は第一絶縁基板４０における抵抗体４２と引き出しパターン４４との接続部に対応する位置に設けられている。
【００１２】
第一，第二絶縁基板４０，６０に接続されるコネクタ８０は、金属製の端子８２を有し、基部８１に引き出し部４１，６１が差し込まれた状態となっている。この時、引き出しパターン４４と導通パターン６３とが接続される端子８２同士がリード線９０（図７参照）等で接続されることによって、引き出しパターン４４と導通パターン６３ とが導通する状態となっている。よって、このコネクタが取り付けられた状態において、導通パターン６３は抵抗体４２の長手方向略中央部に導通されている。
【００１３】
この可変抵抗器の動作としては、抵抗体４２にはコネクタ８０を介して配線パターン４３から所定の入力電圧が印加されており、導電体６２が導電パターン６３、端子８２、リード線９０、引き出しパターン４４を介して抵抗体４２の中央と導通することで導電体６２から所定の出力電圧が出力されている。そして、操作者が押圧操作する位置に応じて、導電体６２と抵抗体４２との接触位置に対応して出力電圧が変化するものとなっている。
【００１４】
【特許文献１】特開２００１−１７６７０７号公報
【発明の開示】
【発明が解決しようとする課題】
【００１５】
しかしながら、上述した従来の可変抵抗器の構造においては、互いに対向した状態で配設された第一と第二絶縁基板に形成された、帯状の抵抗体パターンや導電体パターンが長くなると（操作範囲が長くなると）、可撓性を有する上側に配設された第二絶縁基板の全長も長くなるため、第二絶縁基板が撓んで、押圧操作をしない場合でも抵抗体パターンと所定の間隔を隔てて対向状態になっている導電体パターンとが接触してしまう虞があった。また、第二絶縁基板が撓むことにより、押圧操作時の作動力が低下してしまうという問題があった。
【００１６】
したがって、本発明では上述した問題点を解決し、押圧操作する際の操作範囲が長くなった場合においても誤動作を起こし難い押圧操作型の可変抵抗器及びそれを用いた電子楽器を提供することを目的とする。
【課題を解決するための手段】
【００１７】
上記課題を解決するために本発明では第１の解決手段として、帯状の抵抗体パターンあるいは導電体パターンのいずれか一方が設けられた絶縁基台と、この絶縁基台に対向した状態で配設され、前記抵抗体パターンあるいは導電体パターンのいずれか他方が設けられた可撓性を有する絶縁基板とを備え、前記抵抗体パターンと前記導電体パターンとが所定の間隙を介して対向するように配置され、前記絶縁基板が押圧されることにより、押圧位置で前記抵抗体パターンと前記導電体パターンとが接触するものとされ、前記絶縁基板に前記抵抗体パターンあるいは導電体パターンが延設された方向に沿って張力が及ぶように、前記絶縁基板を、弾性部材に係合させて保持した構成とした。
【００１８】
また、第２の解決手段として、前記弾性部材が、コイル状の引っ張りばねからなる構成とした。
また、第３の解決手段として、前記絶縁基板に形成された前記抵抗体パターンあるいは導電体パターンの延設方向の両側に、それぞれスペーサを設け、いずれか一方の前記スペーサの外側の位置で、前記絶縁基板を前記引っ張りばねに係合させた構成とした。
また、第４の解決手段として、前記絶縁基台には前記抵抗体パターンを設け、前記絶縁基板には前記導電体パターンを設け、前記導電体パターンの一端側を出力用の配線パターンに接続させ、この配線パターンの反対側で前記絶縁基板を前記引っ張りばねに係合させた構成とした。
【００１９】
また、第５の解決手段として、本体部と、この本体部から延出された竿状部とを有し、この竿状部に演奏者が指で押えた位置を検出して、この位置に対応する楽音信号を出力する音高決定部を有する電子楽器であって、前記音高決定部に第１の解決手段乃至第４の解決手段の何れかに記載の可変抵抗器を備えた構成とした。
また、第６の解決手段として、前記竿状部の先端側に、前記可変抵抗器の前記絶縁基板に係合された前記引っ張りばねを配置する構成とした。
【発明の効果】
【００２０】
上述したように、本発明の可変抵抗器は、帯状の抵抗体パターンあるいは導電体パターンのいずれか一方が設けられた絶縁基台と、絶縁基台に対向した状態で配設され、抵抗体パターンあるいは導電体パターンのいずれか他方が設けられた可撓性を有する絶縁基板とを備え、抵抗体パターンと導電体パターンとが所定の間隙を介して対向するように配置され、絶縁基板が押圧されることにより、押圧位置で抵抗体パターンと導電体パターンとが接触するものとされ、絶縁基板に抵抗体パターンあるいは導電体パターンが延設された方向に沿って張力が及ぶように、絶縁基板を、弾性部材に係合させて保持したことから、抵抗体パターンあるいは導電体パターンが長くなり、可撓性を有する絶縁基板の操作範囲が長くなっても、絶縁基板には弾性部材により引っ張り力が作用しているので、非押圧時に絶縁基板が撓んで抵抗体パターンと導電体パターンとが接触することによる誤動作を起こし難く、信頼性を高めることができる。
【００２１】
また、弾性部材が、コイル状の引っ張りばねからなることから、簡単な構成で、確実に誤動作を防ぐことができる。
また、絶縁基板に形成された抵抗体パターンあるいは導電体パターンの延設方向の両側に、それぞれスペーサを設け、いずれか一方のスペーサの外側の位置で、絶縁基板を引っ張りばねに係合させたことから、スペーサと引っ張りばねにより、パターンの延設方向の両側において、抵抗体パターンと導電体パターンとの所定の間隙を確実に保つことができ、押圧操作時に、絶縁基板がスペーサを支えとして変形するので、押圧位置を確実に検出することができる。
また、絶縁基台には抵抗体パターンを設け、絶縁基板には導電体パターンを設け、導電体パターンの一端側を出力用の配線パターンに接続させ、配線パターンの反対側で絶縁基板を引っ張りばねに係合させたことから、可撓性の絶縁基板には抵抗体パターンではなく導電体パターンが設けられているため、抵抗体パターンが伸びて抵抗値が変わる（音階が狂う）ことがなく、また、引っ張りばねと干渉せずに出力用の配線パターンが引き出せるので、構成が簡単となる。
【００２２】
また、本体部と、本体部から延出された竿状部とを有し、竿状部に演奏者が指で押えた位置を検出して、この位置に対応する楽音信号を出力する音高決定部を有する電子楽器であって、音高決定部に第１の解決手段乃至第４の解決手段の何れかに記載の可変抵抗器を備えたことから、簡単な構成で、誤動作の少ない、安定した音程が得られる信頼性の高い、ギターや三味線、マンドリン等の弦楽器を模した電子楽器を提供できる。
また、竿状部の先端側に、可変抵抗器の絶縁基板に係合された引っ張りばねを配置するようにしたことから、本体部の制御回路等との回路部の引き回しが容易となり、また、外観的にも本物に類似した弦楽器を模した電子楽器が得られる。
【発明を実施するための最良の形態】
【００２３】
以下、本発明の可変抵抗器及びそれを用いた電子楽器の実施形態を図１乃至図６に示す。図１は本発明の可変抵抗器の正面図、図２は本発明の可変抵抗器の絶縁基板の底面図、図３は本発明の可変抵抗器の絶縁基台の平面図、図４は本発明の可変抵抗器の押圧動作状態を示す平面図、図５は本発明の可変抵抗器を用いた電子楽器の平面図、図６は本発明の可変抵抗器を用いた電子楽器の正面図である。
【００２４】
図１乃至図３において、絶縁基台１は、フェノール樹脂等の絶縁性積層板、あるいはポリエステル等の絶縁性フィルムからなり、長尺状の長方形状に形成されている。この絶縁基台１の表面中央には、複数（本実施例では３本）の帯状のカーボンパターンからなる抵抗体パターン２が印刷などの方法で形成されている。また、それぞれの前記抵抗体パターン２の一端の端部には、銀パターンからなる第１電極パターン３がそれぞれ接続され、これらの第１電極パターン３が前記絶縁基台１の一端側の縁部にそれぞれ導出されている。また、前記第１電極パターン３上には銀の硫化等による劣化防止のためカーボンなどのオーバーコートが施されている。
【００２５】
また、それぞれの前記抵抗体パターン２の他端の端部には、同じく銀パターンからなる第２電極パターン４が接続され、この第２電極パターン４が同じく前記絶縁基台１の一端側の縁部に導出されている。この第２電極パターン４はそれぞれの前記抵抗体パターン２の他端の端部で電気的に接続されて、ひとつの共通の電極パターンを形成している。また、前記第２電極パターン４上にも銀の硫化等による劣化防止のためカーボン等のオーバーコートが施されている。
【００２６】
また、それぞれの前記第１、第２電極パターン３、４が導出された前記絶縁基台１の一端側には、銀パターンからなる複数（本実施例では３個）の出力用の配線パターン５が設けられており、これらの配線パターン５が前記絶縁基台１の一端側の縁部にそれぞれ導出されている。また、前記配線パターン５上にも銀の硫化等による劣化防止のためカーボン等のオーバーコートが施されている。
【００２７】
また、前記絶縁基台１には、一端側の前記配線パターン５上に形成された取付孔１ａ、及び他端側の前記抵抗体パターン２の他端の外側の位置に互いに対となるように形成された取付孔１ｂがそれぞれ形成されている。これらの取付孔１ａ、１ｂは、前記絶縁基台１の両端側に、前記抵抗体パターン２を挟んで対向する位置にそれぞれ形成されている。前記取付孔１ａ、１ｂにビス等の止め具６が螺合されるものとなっており、この時、前記配線パターン５上には金属材からなる導電スペーサ７が挟持されて固着されるものとなっている。
【００２８】
また、前記絶縁基台１には、前記抵抗体パターン２の両端部の外側で、前記取付孔１ａ、１ｂとの間に位置する、複数（本実施例では６個）の係合孔１ｃが形成されている。これらの係合孔１ｃに断面Ｔ字状の絶縁材からなる絶縁スペーサ８が挿入されて固着されるものとなっている。
【００２９】
絶縁基板９は、ポリエステルやガラス入りエポキシ樹脂等の可撓性を有する絶縁性フィルムからなり、長尺状の長方形状に形成されている。この絶縁基板９の裏面には、帯状の銀パターンからなる導電体パターン１０が印刷などの方法で形成されている。この絶縁基板９は、前記絶縁基台１に対向した状態で配設され、前記導電体パターン１０と前記抵抗体パターン２とが所定の間隙を介して対向するように配置されるものとなっている。また、前記導電体パターン１０上には銀の硫化等による劣化防止のためカーボンなどのオーバーコートが施されている。
【００３０】
また、前記導電体パターン１０の一端の端部は、前記絶縁基板９の一端側の縁部まで導出されており、前記絶縁基板９の一端側には前記絶縁基台１の配線パターン５上に設けられた前記取付孔１ａと対向する位置に挿通孔９ａが設けられている。この挿通孔９ａに前記ビス等の止め具６が挿入されて、前記絶縁基台１の配線パターン５と前記絶縁基板９の導電体パターン１０との間に前記導電スペーサ７が挟持された状態で、前記取付孔１ａに前記止め具６が螺合されることにより前記配線パターン５と前記導電体パターン１０とが電気的に導通されて前記絶縁基台１と前記絶縁基板９とが対向した状態で配設されるものとなっている。
【００３１】
また、前記絶縁基板９の他端側には、前記絶縁基台１の他端側の前記抵抗体パターン２の他端の外側の位置に形成された前記取付孔１ｂと対向する位置に導電体パターン１０の延設方向（長手方向）に長い長孔９ｂが設けられている。この長孔９ｂにも前記ビス等の止め具６が挿入されて、前記絶縁基台１と前記絶縁基板９との間にスペーサ１１が挟持された状態で、前記取付孔１ｂに前記止め具６が螺合されることにより前記絶縁基台１と前記絶縁基板９とが対向した状態で配設されるものとなっている。尚、この時、絶縁基板９の他端側は、止め具６と長孔９ｂとのクリアランス（隙間）内で、その長手方向に若干移動可能となっている。
【００３２】
また、前記長孔９ｂの外側には、小孔９ｃが設けられており、この小孔９ｃに弾性部材であるコイル状の引っ張りばね１２のフック部１２ａが係合されるものとなっている。そして、前記絶縁基板９は、この引っ張りばね１２の付勢力により前記導電体パターン１０が延設された方向に沿って張力（引っ張り力）が及ぶように、前記絶縁基台１に対向して保持されている。また、前記引っ張りばね１２の他端側は、前記絶縁基台１が取り付けられる筐体側の係止部１３に係止されている。尚、この係止部１３は前記絶縁基台１に一体に設けても良い、
【００３３】
また、前記絶縁基台１の前記抵抗体パターン２の延設方向の両端側に設けられた前記係合孔１ｃには、前記絶縁スペーサ８が取付けられており、この絶縁スペーサ８を設けることにより、前記抵抗体パターン２と前記導電体パターン１０とが所定の間隙で対向して配設されている。そして、前記絶縁基板９の任意箇所が押圧されて絶縁基板９が撓んだときには、両側が前記絶縁スペーサ８に当接して突っ張っることにより、押圧部の導電体パターン１０と抵抗体パターン２との接触ポイントを安定させ、押圧位置を確実に検出することができるものとなっている。
【００３４】
また、前記第１、第２電極パターン３、４、及び出力用の前記配線パターン５が導出された前記絶縁基台１の一端側には、図示しない外部の制御回路に接続される接続パターン（図示せず）を有するフレキシブル基板１４が固着されており、このフレキシブル基板１４を介して所定電圧が前記第１、第２電極パターン３、４に印加されると共に、それぞれの前記配線パターン５からの検出電圧が出力されるものとなっている。
【００３５】
このように、前記絶縁基板９に形成された前記導電体パターン１０の延設方向の両側に、それぞれ前記絶縁スペーサ８を設け、いずれか一方の絶縁スペーサ８の外側の位置で、前記絶縁基板９を前記引っ張りばね１２に係合させたことから、前記絶縁スペーサ８と前記引っ張りばね１２により、抵抗体パターン２及び導電体パターン１０の延長方向の両側において、前記抵抗体パターン２と前記導電体パターン１０との所定の間隙を確実に保つことができ、押圧操作時に、絶縁基板９が絶縁スペーサ８を支えとして変形する。このため、抵抗体パターン２と導電体パターン１０との接触面積を小さくでき、よって、押圧位置を確実に検出することができるものとなっている。
【００３６】
また、前記導電体パターン１０の一端側を出力用の前記配線パターン５に接続させ、この配線パターン５の反対側で前記絶縁基板９を前記引っ張りばね１２に係合させたことから、前記引っ張りばね１２と干渉せずに出力用の前記配線パターン５が引き出せるので、構成が簡単となっている。
また、可撓性の前記絶縁基板９には前記抵抗体パターン２ではなく前記導電体パターン１０を設けるようにしたので、前記抵抗体パターン２が伸びて抵抗値が変わる（音階が狂う）のを防げるものとなる。
【００３７】
以上のように本発明の可変抵抗器は構成されており、次に動作について説明すると、まず、図１に示す初期の状態では、前記絶縁基台１と前記絶縁基板９は対向して配設されており、絶縁基台１に設けられた抵抗体パターン２と絶縁基板９に設けられた導電体パターン１０とは所定の間隙を介して対向して配置されている。この時、前記絶縁基板９は引っ張りばね１２によって導電体パターン１０の延設方向へ引っ張られて全体が張っており、且つ、両端側が絶縁スペーサ８によって絶縁基台１とは確実に離間された状態となっており、それぞれの出力用の配線パターン５からの出力（電圧）は得られない。
【００３８】
次に、図４に示すように、絶縁基板９が矢印の位置で押圧されると、押圧位置に対応する導電体パターン１０と抵抗体パターン２とが接触し、接触した押圧位置に対応する出力（電圧）が、導電体パターン１０、導電スペーサ７、出力用の配線パターン５、フレキシブル基板１４を介して出力されるものとなる。この押圧位置を変えることにより、出力（電圧）が変化するものとなり、絶縁基板９のそれぞれの押圧位置に対応した出力（検出電圧）が取り出せるものとなっている。
【００３９】
上記した本発明の実施例によれば、前記抵抗体パターン２と前記導電体パターン１０とが所定の間隙を介して対向するように配置され、可撓性を有する前記絶縁基板９が押圧されることにより、押圧位置で前記抵抗体パターン２と前記導電体パターン１０とが接触する構成であって、前記絶縁基板９に前記導電体パターン１０が延設された方向に沿って張力が及ぶように、前記絶縁基板９を、弾性部材である前記引っ張りばね１２に係合させて保持したことから、前記導電体パターン１０が長くなり、可撓性を有する前記絶縁基板９の操作範囲が長くなっても、前記絶縁基板９には前記引っ張りばね１２により引っ張り力が作用しているので、非押圧時に前記絶縁基板９が撓んで、下側に対向して配設された前記抵抗体パターン２と前記導電体パターン１０とが接触することによる誤動作を起こし難く、信頼性を高めることができるものとなっている。
【００４０】
また、弾性部材が、コイル状の前記引っ張りばね１２からなることから、簡単な構成で、確実に誤動作を防ぐことができる。
【００４１】
尚、上記実施例では、前記絶縁基台１に抵抗体パターン２を設け、前記絶縁基板９に導電体パターン１０を設けるようにしたが、これに限らず、絶縁基台１に導電体パターン１０を設け、絶縁基板９に抵抗体パターン２を設けるようにしても良い。また、前記引っ張りばね１２は、前記絶縁基板９の一方のみではなく、両方に係合するようにしても良い。
【００４２】
図５及び図６は、本発明の可変抵抗器をギターや三味線、マンドリン等の弦として使用した弦楽器を模した電子楽器の構成を示している。尚、上記実施例の構成と同一部品については同一符号を付してその説明を省略する。
【００４３】
図に示すように、電子楽器は本体部２１と、この本体部２１から延出された竿状部２２とを有し、この場合、可変抵抗器は電子楽器の本体部２１に竿状に延出して形成された竿状部２２に取付けられている。すなわち、前記絶縁基台１は、前記竿状部２２の上面に取付けられており、前記絶縁基台１の一端側に固着された前記フレキシブル基板１４が、スリット部２１ａを通して前記本体部２１の中に配設されている。また、前記本体部２１の中には図示しない制御回路が収納されている。
【００４４】
また、前記竿状部２２の先端側には、上面側に突出する係止部２２ａが設けられており、この係止部２２ａに、前記絶縁基板９に係合された前記引っ張りばね１２の他端側が係止されている。前記絶縁基板９は、この引っ張りばね１２の付勢力により前記導電体パターン１０が延設された方向に沿って張力（引っ張り力）が及ぶように、前記絶縁基台１に対向された状態で前記竿状部２２に保持されている。
【００４５】
上記構成の電子楽器は、前記竿状部２２に取付けられた可変抵抗器が弦楽器を模した楽器の弦として使用されており、この可変抵抗器が楽器の弦に変わる音高決定部を構成している。そして、この竿状部２２の前記絶縁基板９を演奏者が指で押えることにより、その押えた位置の出力電圧を検出して、この位置に対応する電圧に基づいて、楽音信号（音階）を作るものとなっており、前記本体部２１に収納された図示しない制御回路で制御して最適な楽音信号を出力するものとなっている。
【００４６】
上記した本発明の実施例によれば、電子楽器の前記竿状部２２に演奏者が指で押えた位置を検出して、この位置に対応する楽音信号を出力する音高決定部に、上述した構成からなる可変抵抗器を備えたことから、簡単な構成で、誤動作の少ない、安定した音程が得られる信頼性の高い、ギターや三味線、マンドリン等の弦楽器を模した電子楽器を提供できるものとなっている。
【００４７】
また、前記竿状部２２の先端側に、可変抵抗器の前記絶縁基板９に係合された前記引っ張りばね１２を配置するようにしたことから、前記本体部２１に収納される制御回路等との回路部の引き回しが容易となり、また、外観的にも本物に類似した弦楽器を模した電子楽器が得られるものとなっている。
【図面の簡単な説明】
【００４８】
【図１】本発明の可変抵抗器を示す正面図である。
【図２】本発明の可変抵抗器の絶縁基板を示す底面図である。
【図３】本発明の可変抵抗器の絶縁基台を示す平面図である。
【図４】本発明の可変抵抗器の押圧動作状態を示す平面図である。
【図５】本発明の可変抵抗器を用いた電子楽器を示す平面図である。
【図６】本発明の可変抵抗器を用いた電子楽器を示す正面図である。
【図７】従来の可変抵抗器を示す分解斜視図である。
【図８】従来の可変抵抗器を示す断面図である。
【符号の説明】
【００４９】
１：絶縁基台
１ａ：取付孔
１ｂ：取付孔
１ｃ：係合孔
２：抵抗体パターン
３：第１電極パターン
４：第２電極パターン
５：配線パターン
６：止め具（ビス）
７：導電スペーサ
８：絶縁スペーサ（スペーサ）
９：絶縁基板
９ａ：挿通孔
９ｂ：長孔
９ｃ：小孔
１０：導電体パターン
１１：スペーサ
１２：引っ張りばね（弾性部材）
１２ａ：フック部
１３：係止部
１４：フレキシブル基板
２１：本体部
２１ａ：スリット部
２２：竿状部
２２ａ：係止部
【図１】
2005332948.tif 000003
【図２】
2005332948.tif 000004
【図３】
2005332948.tif 000005
【図４】
2005332948.tif 000006
【図５】
2005332948.tif 000007
【図６】
2005332948.tif 000008
【図７】
2005332948.tif 000009
【図８】
2005332948.tif 000010